(57)【要約】【課題】視聴したいチャンネル又は番組の契約がなされたＩＣカードの差し込まれている受信機器を探すか、あるいは、契約がなされたＩＣカードを探してきて、テレビのＩＣカードと差し替えて視聴するという煩わしさを、特別な規格や専用の装置を用いずに解消する。【解決手段】テレビ受像機１０は、受信契約の必要なチャンネルに対する契約内容が記録されたＩＣカード２３，３３，４３を備えた複数のデジタル放送受信機器２０，３０，４０が接続可能であり、チャンネル毎に、複数のデジタル放送受信機器２０，３０，４０のうちの何れに受信契約がなされているかを示す入力切換テーブル１５ａを備え、テレビ受像機１０用のリモコンまたは本体の選局ボタン等を操作してチャンネルを選択する選局信号が入力されると、入力切換テーブル１５ａの設定に応じて、受信契約がなされたデジタル放送受信機器２０（又は３０又は４０）へ制御信号を送信し、かつ、受信契約がなされたデジタル放送受信機器２０（又は３０又は４０）からの映像・音声を入力する。【選択図】図２
2007208725.tif 000002
【特許請求の範囲】
【請求項１】
受信契約の必要なチャンネルに対する契約内容が記録されたＩＣカードを備えた複数のデジタル放送受信機器が接続可能な電子機器であって、
前記チャンネル毎に、前記複数のデジタル放送受信機器のうちの何れに受信契約がなされているかを示す入力切換テーブルを備え、
選択手段から前記チャンネルを選択する選局信号が入力されると、前記入力切換テーブルの設定に応じて、受信契約がなされたデジタル放送受信機器へ制御信号を送信し、かつ、受信契約がなされたデジタル放送受信機器からの映像・音声を入力することを特徴とする電子機器。
【請求項２】
前記選択手段で選択されたチャンネルの映像を表示する表示部を有することを特徴とする請求項１に記載の電子機器。
【請求項３】
前記複数のデジタル放送受信機器のうち少なくとも１つを有することを特徴とする請求項１又は２に記載の電子機器。
【発明の詳細な説明】
【技術分野】
【０００１】
本発明は、電子機器に関し、特に、複数台のデジタル放送受信機器を接続可能な電子機器に関する。
【背景技術】
【０００２】
ＢＳデジタル放送、地上デジタル放送、１１０度ＣＳデジタル放送などは、映像や音声をデジタルデータとして送受信するため、不正コピーを防ぐためにデータを暗号化している。
このため、デジタル放送を受信する機器(テレビやチューナ)などには、Ｂ−ＣＡＳカード（BS-Conditional Access Systems Card）と呼ばれる暗号を解除するための鍵データの記録されたＩＣカード添付されている。
また、有料チャンネル等の個別契約が必要な放送局に対して個別に契約することにより、当該チャンネルに対する契約情報がこのＩＣカード（Ｂ−ＣＡＳカード）に記録される。
家庭などで、デジタルチューナ搭載テレビにデジタルチューナ搭載ＤＶＤ／ＨＤＤレコーダー等を接続した複数台のデジタル放送受信機器を使用している環境において、各デジタル放送受信機器の有料チャンネル等に対する契約内容が異なっている場合、ＩＣカードに記録されている契約情報が異なる。
【０００３】
一般家庭などで複数台のデジタル放送受信機器を使用している環境の一例を以下説明する。図１は、デジタルチューナが搭載されたテレビ受像機１０１に、デジタルチューナを搭載したＶＴＲやＤＶＤ／ＨＤＤレコーダーなどのデジタル放送受信機器１０５を接続した例である。図１において、デジタルチューナが搭載されたテレビ受像機１０１は、このテレビ受像機１０１に添付されたＩＣカード１０２を装着することにより、デジタル放送が受信可能となる。そして、視聴者はテレビ受像機１０１に付属するリモートコントローラ１０３を使用して、テレビ受像機１０１の電源のオン・オフやチャンネル選択などを行う。
【０００４】
さらに、有料チャンネル等の個別契約が必要な放送局に対して個別に契約することにより、当該チャンネルに対する契約情報がＩＣカードに記録されるので、契約済みの有料チャンネルの放送信号の暗号を解除してこのチャンネルを視聴することができる。
【０００５】
図１では、デジタルチューナが搭載されたテレビ受像機１０１以外に、デジタル放送受信機器１０５が映像・音声の接続ケーブル１０４を介して接続されている。デジタル放送受信機器１０５もテレビ受像機１０１と同様に、デジタル放送受信機器１０５に添付されたＩＣカード１０６を装着することにより、デジタル放送が受信可能となる。そして、デジタル放送受信機器１０５に付属するリモコン１０７を使用して、デジタル放送受信機器１０５の電源のオン・オフやチャンネル選択などを行う。
【特許文献１】特開２００１−１６９２６２
【発明の開示】
【発明が解決しようとする課題】
【０００６】
ところが、一般家庭などでは、テレビに複数台のデジタル放送受信機器を接続して使用している場合、各機器に装着されたＩＣカード毎に有料チャンネル等の契約が必要であるので、ＩＣカード毎に契約状態が異なることが普通である。
【０００７】
このため、視聴者は複数台のデジタル放送受信機器のうちどの機器（ＩＣカード）に見たいチャンネルの契約がなされているかを把握したうえで、例えば図１の例の場合に、当該チャンネルの契約がＩＣカード１０６になされていれば、リモートコントローラ１０７等を使用してデジタル放送受信機器１０５の電源を入れ、チャンネルの選局をし、次にテレビ受像機１０１のリモートコントローラ１０３等を使用して、テレビ受像機１０１の電源を入れ、テレビ受像機１０１の入力信号のセレクタを外部入力（デジタル放送受信機器１０５からの入力）に切り換えて視聴を行う必要がある。
【０００８】
あるいは、当該チャンネルの契約がなされたデジタル放送受信機器１０５のＩＣカード１０６を抜き取り、テレビ受像機１０１のＩＣカード１０２と差し替えてテレビを視聴する必要があり、このような差し替え作業が生じるため煩わしい。
【０００９】
このような、煩わしさを解消するため、ＩＣカードの差し替えをしなくても有料チャンネルの視聴ができる有料放送受信装置が特許文献１において記載されている。この有料放送受信装置は、選局した番組を視聴可能なＩＣカードが装着されている外部の受信装置を検出する手段、また、検出された受信装置に対し、選局したチャンネルの番組のデスクランブル後の信号を供給する制御手段を備える。
【００１０】
ところが、特許文献１に記載の有料放送受信装置は、有料放送受信装置（テレビ受像機）及び他の受信装置には、ＩＥＥＥ１３９４規格の通信部や制御部が必要であり、選局した番組を視聴可能なＩＣカードが存在するか否かの検索は、ＩＥＥＥ１３９４規格で検討されている制御方法、制御信号を利用するか、ＩＥＥＥ１３９４規格では検討されていないが、有料放送受信装置からＥＣＭ（番組情報）を外部の受信装置に供給し、ＩＣカード内でＥＣＭ（番組情報）を処理して有効か否かを判定するなどしなければならない。
【００１１】
すなわち、上記の有料放送受信装置では、ＩＥＥＥ１３９４に対応していない外部の受信装置には適用できず、さらに、選局した番組を視聴可能なＩＣカードが存在するか否かの検索のための専用の装置（通信部や制御部等）が必要となるので、コストがかかる等の問題点がある。
【００１２】
本発明が解決しようとする課題としては、視聴したいチャンネルの契約がなされたＩＣカードの差し込まれているデジタル放送受信機器を探すか、あるいは、契約がなされたＩＣカードを探してきて、テレビのＩＣカードと差し替えて視聴するという煩わしさを、特別な規格や専用の装置を用いずに解消するということが一例として挙げられる。
【課題を解決するための手段】
【００１３】
請求項１に記載の電子機器は、受信契約の必要なチャンネルに対する契約内容が記録されたＩＣカードを備えた複数のデジタル放送受信機器が接続可能な電子機器であって、前記チャンネル毎に、前記複数のデジタル放送受信機器のうちの何れに受信契約がなされているかを示す入力切換テーブルを備え、選択手段から前記チャンネルを選択する選局信号が入力されると、前記入力切換テーブルの設定に応じて、受信契約がなされたデジタル放送受信機器へ制御信号を送信し、かつ、受信契約がなされたデジタル放送受信機器からの映像・音声を入力することを特徴とする。
【発明を実施するための最良の形態】
【００１４】
本発明に係る電子機器は、受信契約の必要なチャンネルに対する契約内容が記録されたＩＣカードを備えた複数のデジタル放送受信機器が接続可能な電子機器であり、チャンネル毎に、複数のデジタル放送受信機器のうちの何れに受信契約がなされているかを示す入力切換テーブルを備え、選択手段からチャンネルを選択する選局信号が入力されると、入力切換テーブルの設定に応じて、受信契約がなされたデジタル放送受信機器へ制御信号を送信し、かつ、受信契約がなされたデジタル放送受信機器からの映像・音声を入力することを、その最良の実施形態としている。
テレビ受像機などの電子機器に複数のデジタル放送受信機器を接続して使用する場合、各機器に装着されたＩＣカード毎に有料チャンネル等の契約状態が異なることが普通である。このため、視聴したいチャンネルの契約がなされたＩＣカードの差し込まれている機器を探すか、あるいは、契約がなされたＩＣカードを探してきて、テレビ受像機のＩＣカードと差し替えて視聴するという煩わしさが生じるが、上記構成により、特別な規格や専用の装置を用いずにこれを解消することができる。
【実施例】
【００１５】
以下、本発明に係る電子機器の実施の形態の具体的な一実施例を挙げ、図面を参照して詳細に説明する。
図２は、本発明の一実施例に係る電子機器に複数のデジタル放送受信機器を接続したブロック図であり、図３は、本発明の一実施例に係る電子機器に複数のデジタル放送受信機器を接続して使用する状態を説明する概念図である。
【００１６】
図２に示すように、本発明の実施例に係る電子機器であるテレビ受像機１０は、受信した映像を表示する表示部１１と、デジタルチューナ１２と、制御部１５と、入力信号セレクタ１４とを備えている。入力信号セレクタ１４は、デジタルチューナ１２、外部のデジタル放送受信機器２０、３０、４０から出力された映像・音声信号の何れかを選択して表示部１１に表示させる。
【００１７】
制御部１５は、予め設定入力を行うことにより作成された各チャンネルの自動切り替え設定を対応づける入力切換テーブル１５ａを備えており、リモートコントローラ等からのチャンネル選局信号が入力されると、この入力切換テーブル１５ａの設定に応じて入力信号セレクタ１４の切り換えの制御や各デジタル放送受信機器（デジタルチューナ１２、外部のデジタル放送受信機器２０、３０、４０）の選局動作や電源のオン・オフを指示するリモートコントロール信号を送信する。
【００１８】
また、入力切換テーブル１５ａの内容は、自動設定切換画面１１ａとして表示部１１に表示することができる。なお、表示部１１はテレビ受像機、液晶、あるいはプラズマディスプレイ等の表示画面である。
【００１９】
すなわち、図３に示すように、テレビ受像機１０は、その外部にＶＴＲやＤＶＤ／ＨＤＤレコーダーなどのデジタル放送受信機器が３台（２０、３０、４０）、それぞれ映像・音声ケーブル１７によって接続されている。
【００２０】
テレビ受像機１０（のデジタルチューナ１２）、外部のデジタル放送受信機器２０、３０、４０は、それぞれの機器に添付されたＩＣカード（１３、２３、３３、４３）を装着することにより、デジタル放送が受信可能となる。
【００２１】
テレビ受像機１０は、選局動作や電源のオン・オフに対するリモートコントロール信号（制御信号）を赤外線送信部１６から各デジタル放送受信機器２０、３０、４０の赤外線受光部２２、３２、４２に送信できる。
【００２２】
なお、リモートコントロール信号は、赤外線以外の手段で送信してもよく、電気信号により各デジタル放送受信機器２０、３０、４０のリモートコントロール端子に送信するか、あるいは、無線通信等の手段で送信してもよい。
【００２３】
次に、図４のフローチャートを参照して、本実施の形態に係るテレビ受像機１０の動作を説明する。なお、図５は、自動切替設定画面の一例である。
【００２４】
まず、テレビ受像機１０の表示部１１に、自動切替設定画面１１ａ（図５参照）を表示させ、チャンネル毎に当該チャンネルの契約がなされているデジタル放送受信機器の番号を登録する（ステップＳ１）。
【００２５】
例えば、図５に示すように、チャンネル２３１は外部機器２０に対して契約済みである場合は、自動切替設定画面においてチャンネル２３１に対する「自動切換」の項目５１に対して、リモコン等の入力ボタンを操作して指定して、さらに、「あり（デジタル放送受信機器２０）」となるように入力ボタンを適宜操作して設定する。
【００２６】
また、チャンネル２４１の「自動切換」の項目５２に対しては「あり（デジタル放送受信機器３０）」、チャンネル２６１の「自動切換」の項目５３に対しては「あり（デジタル放送受信機器４０）」に設定する。チャンネル１０１、１０２、２５１はテレビ受像機１０に対して契約済みであるので、「自動切換」の項目には「なし」と設定する。なお、初期設定で「なし」と設定されていればそのままでよい。
【００２７】
チャンネル毎の自動切替の設定（ステップＳ１）が終了した後、リモコン等の入力ボタンを操作して、視聴するチャンネルを指定する（ステップＳ２）。
【００２８】
図５のように設定されている場合には、例えば、リモコンのボタン「３」が押されたとすると、チャンネル２３１が指定される。
次に、上記のように指定されたチャンネルに対し、自動切り替え設定が有るか否かを判定する（ステップＳ３）。
【００２９】
自動切り替え設定が有る場合（Ｙｅｓ）は、指定されたデジタル放送受信機器（２０又は３０又は４０）の電源を自動的にオンにして、指定されたチャンネルに自動的に切り換える（ステップＳ４）。
さらに、テレビ受像機１０の信号入力を指定されたデジタル放送受信機器（２０又は３０又は４０）に切り換える（ステップＳ５）。
一方、ステップ３において、自動切り替え設定がない場合（Ｎｏ）は、デジタルチューナ１２を指定されたチャンネルに切り換える（ステップＳ６）。
【００３０】
なお、上記実施例において、デジタルチューナ１２は必ずしも表示部１１（ディスプレイ）と同じ筐体で構成されていなくてもよく、別の筐体であってもよい。また、接続される複数のデジタル放送受信機器は上記３台に限るものではない。
また、上記実施例では、電子機器として、デジタルチューナを備えるテレビ受像機を示したが、本発明に係る電子機器は、必ずしもデジタルチューナを備えていなくてもよい。あるいは、デジタルチューナを複数備えるテレビ受像機でもよい。
【００３１】
以上、詳述したように、本実施の形態に係る電子機器であるテレビ受像機１０は、受信契約の必要なチャンネルに対する契約内容が記録されたＩＣカード２３，３３，４３を備えた複数のデジタル放送受信機器２０，３０，４０が接続可能であり、チャンネル毎に、複数のデジタル放送受信機器２０，３０，４０のうちの何れに受信契約がなされているかを示す入力切換テーブル１５ａを備え、テレビ受像機１０用のリモコンまたは本体の選局ボタン（選局手段）等を操作してチャンネルを選択する選局信号が入力されると、入力切換テーブル１５ａの設定に応じて、受信契約がなされたデジタル放送受信機器２０（又は３０又は４０）へ制御信号を送信し、かつ、受信契約がなされたデジタル放送受信機器２０（又は３０又は４０）からの映像・音声を入力する。
これにより、視聴したいチャンネルの契約がなされたＩＣカード２３（又は３３又は４３）の差し込まれている機器を探すか、あるいは、契約がなされたＩＣカードを探してきて、テレビ受像機のＩＣカード１３と差し替えて視聴するという煩わしさが生じるが、上記構成により、特別な規格や専用の装置を用いずにこれを解消することができる。
【図面の簡単な説明】
【００３２】
【図１】デジタルチューナが搭載されたテレビ受像機に対してデジタル放送受信機器を接続した場合の従来例である。
【図２】本発明の一実施例に係る電子機器に複数のデジタル放送受信機器を接続したブロック図である。
【図３】本発明の一実施例に係る電子機器に複数のデジタル放送受信機器を接続して使用する状態を説明する概念図である。
【図４】本実施の形態に係る電子機器の動作を説明するフローチャートである。
【図５】本実施の形態に係る電子機器における自動切替設定画面の一例である。
【符号の説明】
【００３３】
１０  テレビ受像機（電子機器）
１１  表示部
１２  デジタルチューナ
１３，２３，３３，４３  ＩＣカード
１４  入力信号セレクタ
１５  制御部
１５ａ  入力切り換えテーブル
２０，３０，４０  デジタル放送受信機器
【図１】
2007208725.tif 000003
【図２】
2007208725.tif 000004
【図３】
2007208725.tif 000005
【図４】
2007208725.tif 000006
【図５】
2007208725.tif 000007